(57)【要約】【課題】互いに接合したネット片を確実に相互に保持し、ネット内で飼育する動物を損傷せず、籠又はスリーブを組み立て易くする、籠又はスリーブ用ネットを提供する。【解決手段】ネットを、特に、水域に設置でき、魚、イガイ類若しくは軟体動物等の動物を飼育するために使用する籠又はスリーブ用に提供する。ネット（２０）を、ワイヤ、ロープ及び／又はコードから作製し、本明細書では、ネット片（２１〜２６）から形成する。ネット片では、少なくとも１つの被覆帯（２７、２８、３０、３７）を、縁領域（２２'）に適用し、その帯は、隣接するネット片（２１〜２６）に常時接合するための接続部（２７'）を有する。その結果、ネット片を常時補強して互いに保持し、縦方向にネットを大幅に補強することができる。【選択図】  図１
2013236629.tif 000002
【特許請求の範囲】
【請求項１】
特に水域に設置でき、魚や水域にいるイガイ類若しくは軟体動物等の動物を飼育するために提供する籠又はスリーブ用のネットであり、ワイヤ、ロープ及び／又はコードから作製する該ネット（２０）であって、前記ネット（２０）を、ネット片（２１〜２６）から形成し、少なくとも１つの被覆帯（２７、２８、３０、３７）を其々、好適には、縁領域（２２'）の全長に亘り取着し、前記帯は、隣接するネット片（２１〜２６）に常時接合するための接続部（２７'、３７'）を有することを特徴とするネット。
【請求項２】
単独又は複合帯（２７、２８、２９、３０、３７）を、前記ネット片（２１〜２６）の前記縁領域を包含するポケットとして配置し、縫合によって前記ネット（２０）に固定することを特徴とする、請求項１に記載のネット。
【請求項３】
この前記隣接するネット片（２１〜２６）同士を接合するための前記帯（２７）の前記接続部（２７'）を、前記帯（２７）自体の一部を、前記ネット片の各縁部に亘り突出させることによって、形成することを特徴とする、請求項１又は２に記載のネット。
【請求項４】
前記ネット片（２１〜２６）の前記各縁部周りに折曲し、前記ポケットを形成する１つの帯（３７）だけを提供し、両側で前記ネットを被覆する帯部分を、互いに縫合することを特徴とする、請求項３に記載のネット。
【請求項５】
帯を、前記ネット片の各縁部の表側と裏側に其々に設け、これらの帯を互いに縫合することを特徴とする、請求項１乃至３の何れかに記載のネット。
【請求項６】
前記ネット（２０）を、相互に編組した個々のコイル状に巻回した又は同様に折曲した金属製ワイヤ（２０'）、ロープ及び／若しくはコードから成る金網の形とし、前記金網の端部を両側で結節又はループにし、前記帯（２７、２８、３０）によって被覆することを特徴とする、請求項１乃至５の何れかに記載のネット。
【請求項７】
前記ネット片（２１〜２６）其々に、少なくとも１つの被覆帯（２７、２８、３０）を其々、両端に位置する前記金属製ワイヤ、ロープ及び／又はコードの端部で、全長に亘り取着することを特徴とする、請求項６に記載のネット。
【請求項８】
前記帯（２７、２８、３０）を、前記金属製ワイヤ、ロープ及び／又はコードによって形成する前記網目（１９）上に、前記ネット片の略全長に亘り略連続的に互いに縫合することを特徴とする、請求項１乃至７の何れかに記載のネット。
【請求項９】
前記帯の縫目を、縫目が裂けた場合に、該縫目が前記ネット片の全長に亘り分離しないように、多数の糸等で前記ネット片の一部に亘り縫合して、作製することを特徴とする、請求項１乃至８の何れかに記載のネット。
【請求項１０】
前記帯を、耐水、耐破れ性材料、例えば、ナイロン生地及び／又は溶接可能なＰＶＣプラスチック製フィルム等から作製することを特徴とする、請求項１乃至９の何れかに記載のネット。
【請求項１１】
互いに接合できる２帯（２７、２８、３０、３７）との少なくとも１つの接続部（２７'、３７'）に、解除可能な閉止具、例えばファスナ等を適用してあり、それにより２つの前記隣接するネット片を、互いに分離できることを特徴とする、請求項１乃至１０の何れかに記載のネット。
【請求項１２】
請求項１乃至９の何れかに記載のネットを備える籠又はスリーブであって、該籠又はスリーブは、多数のネット片を含み、該ネット片に取着した前記帯で、該ネット片を互いに隣同士に配置し、該ネット片を接合するために縫合によって、互いに固定することを特徴とする籠又はスリーブ。
【請求項１３】
この籠（１０）を側部及び下部で閉止するように、前記下部（１２）を、セグメント状のネット片（２４、２５、２６）から形成し、該ネット片を、互いに帯（３０）によって接続し、且つ更なる帯（２９）によってネット側片（２１、２２、２３）に接続することを特徴とする、請求項１２に記載の籠。
【請求項１４】
少なくとも１つの帯（２９、３０）に、解除可能な閉止具、例えばファスナを設けてあり、該閉止具を用いて、前記下部（１２）を２つに分割できることを特徴とする、請求項１２又は１３に記載の籠。
【発明の詳細な説明】
【技術分野】
【０００１】
本発明は、特に水域に設置でき、魚や水域にいるイガイ類若しくは軟体動物等の動物を飼育するために提供する籠又はスリーブ用のネットであり、金属製ワイヤ、ロープ及び／又はコードから作製するネットに関する。
【背景技術】
【０００２】
国際特許公開第ＷＯ２０１０／０４９０８９Ａ号によるネットは、個別にコイル状に巻回又は同様に折曲した縦方向要素から製網できる金網の形をしており、隣接するワイヤが其々相互に編組されている。縦方向要素は、金属製ワイヤ等から作製され、例えば、銅又は銅合金で被覆した防汚表面を備える耐海水性鋼製とされている。これらのネットは、例えば、シャックル等によって互いに固定される。しかしながら、シャックル等を介して、嵐の間ネットに作用する力が全て、該ネットで吸収されなければならず、場所によっては一時的な過負荷に繋がることがある。
【０００３】
端部で、これらのコイル状に巻回したワイヤは、ループを形成するように折曲される、又は結節される。ここで、ワイヤの両端が、例えば結節部で、若干突出するため、ネットに沿って泳ぐ魚がネットで自分を傷つけてしまう可能性があるという欠点がある。その上、これらのワイヤ端部は其々、広げた時や組立て工程中に、ネットに食い込むことがあり、そのため大幅に手間がかかるという欠点がある。
【発明の概要】
【発明が解決しようとする課題】
【０００４】
従って、本発明の基にある目的は、互いに接合したネット片を、高応力に曝されるときでも、特に嵐の間でも、確実に相互に保持すること、更に、ネット内で飼育する動物を、ネットや接続要素によって損傷しないこと、また更に、この種の籠又はスリーブを組立て易くすることを保証する、冒頭で言及した種類の籠又はスリーブ用ネットを提供することである。更に、このネットは巻いた状態で輸送可能でなければならない。
【課題を解決するための手段】
【０００５】
本発明によれば、この目的を、特許請求項１に記載したネットによって達成する。
【０００６】
このネットの有利な更なる詳細については、従属クレームで述べている。
【０００７】
こうした本発明によるネット片の構成では、少なくとも１つの被覆帯を、好適には、縁部全長に亘り取着し、該帯が、隣接するネット片に接続し、ネット片を常時補強して互いに保持し、縦方向でネットを大幅に補強する手段を有することができるため、全体的にネットの耐引き裂き性を向上でき、それに加えて、籠内又はスリーブ内にいる動物が損傷する危険性を排除できる。外部から籠又はスリーブを攻撃する鮫等の捕食動物も、負傷する可能性が低くなる。
【０００８】
こうした負傷防止に関する改善だけでなく、このネットは、帯を付けて事前に作製したこれらのネット片を、互いに適切に接合し、完成したネットとして、１ステップでベアリングシステムに導入可能にすることによって、本発明の枠組内で、極めて容易に組立てることもできる。
【０００９】
本発明の例示的な実施形態及び更なる効果について、図面を用いてより詳細に説明する。
【図面の簡単な説明】
【００１０】
【図１】本発明によるネット片を有する水中に設置した籠の側面図である。
【図２】図１による被覆帯を有する網として提供するネット片を部分的に図式的に説明している。
【図３】図２の線ＩＩ−ＩＩに沿って、ネット片と帯を部分的に示した拡大断面図である。
【図４】互いに接合した２ネット片に関するバージョンの平面図である。
【図５】互いに接合した２ネット片に関する別のバージョンの平面図である。
【発明を実施するための形態】
【００１１】
図１は、組立てた状態で水中１６にあり、この場合魚の飼育用に特に使用する、図式的に説明した籠１０を示している。籠１０を、好適には、高強度の金属製ワイヤ、ロープ及び／又はコードでできたネット２０から作製する。この籠１０は、正方形、円形、又は多角形の断面を有することができる。また、有利には、開閉可能な開口を中心部１２'に備える漏斗形をした下部１２を伴い形成する。従って、籠１０の汚物の大部分を中心部１２'に集めて、この開口を用いてほんの少しの労力で除去できる。
【００１２】
本発明によれば、金属製ワイヤ、ロープ及び／又はコードから作製したネット２０を、多数のネット片２１〜２３から形成し、該ネット片２１〜２３に、被覆帯２７、２８を好適には全長に亘り其々取着し、各ネット片は、隣接するネット片２１〜２３に常時接合するための接続部２７'を含み、接続部２７'を、図２から分かるように、ネット片２１〜２３の各縁部に亘り突出する帯２７自体によって形成する。  
【００１３】
帯２７、２８、２９、３０を、有利には、耐水、耐破れ性材料、例えば、ナイロン生地、ＰＶＣフィルム等から作製する。堆積を防止するために、帯２７、２８、２９、３０を被覆してもよい。
【００１４】
また、籠１０の下部１２を、セグメント状のネット片２４、２５、２６から形成するが、本発明によると、該ネット片２４、２５、２６を、帯３０によって互いに接続し、この籠１０を側部及び下部で閉止するように、更なる帯２９によってネット片２１〜２３に接続する。
【００１５】
図２及び図３によると、帯２７を２部分で形成しており、其々ネット片２２の表側と裏側に其々関連させて帯を存在させ、これらを、ネット片２２の全長に亘り走る縫目３１によって互いに接続している。
【００１６】
ネット２０を、相互に編組した個々のコイル状に巻回した又は同様に折曲した高強度金属製ワイヤ２０'でできた金網の形とし、該金網の端部を両側で結節する又はループにする。これを、互いに柔軟に接続したワイヤ２０'のループ２０"で示す。
【００１７】
縫目３１を、図３で説明するように、帯が網目の立体構造間に来るように、金網の網目１９内に適用する。また、更なる連続する縫目３２を、ネット片２２の全長に亘り帯２７の接続部２７'に設ける。有利には、これらの縫目３２を、縫目が裂けた場合に、縫目がネット片の全長に亘り分離しないように、多数の糸等をネット片の一部に亘り縫合して、作製する。
【００１８】
図４によれば、帯２７を、ネット片２２、２３の縁部２２'、２３'を包含するポケットとして配置し、各縁部２２'、２３'に向かい突出する該帯の接続部２７'を、互いに隣合せて延在する２縫目３３、３４によって、相互に固定するが、これら接続部２７'は、ネット片２２、２３と同一平面に走らせる。
【００１９】
図５は、ネット片２２、２３を接続したバージョンを示しており、ネット片の各縁領域２２'、２３'周りに折曲し、両側でネットを被覆する帯部を有するポケットを形成する１つの帯３７のみを設けており、該帯は今度は、其々突出した接続部３７'を含む。これら接続部３７'を、籠の内側又は外側に対して折曲し、１つ又は複数の縫目３８、３９によって互いに固定できる。その結果、ネット片の縁領域２２'、２３'は、互いに殆ど面一に隣接し、それにより金属製ネットが略連続的に延在するように、配置される。
【００２０】
ネット片２１〜２６を組立て易くするために、巻いたネット片２１〜２６を、クレーンを使用して船から降下させる。広げると、事前に作製したネット片を、これらの適用した帯２７、２８、３０で互いに縫合できる。しかしながら、原則として、既に縫合したネット片を、ネット全体として、籠のベアリング装置に固定してもよい。
【００２１】
本発明について、上述した例示的実施形態で十分明示した。しかしながら、更なるバージョンによっても、説明することもできる。従って、ネット片を、籠周りに水平にガイドしてもよく、その結果、本発明によれば、籠の上縁部を形成する辺も、金属製ワイヤ、ロープ及び／又はコードの端部を確実に被覆するように、帯で被覆してもよい。
【００２２】
帯を縫合する代りに、帯を、鋲留め、クランプ固定、又は溶接によって相互に固定してもよい。溶接する場合、簡単な手段で互いに溶接できるプラスチック製フィルム、例えばＰＶＣフィルム（トラック防水シート（ｌｏｒｒｙ  ｔａｒｐａｕｌｉｎ））を、帯として使用してもよい。この場合、有利には、帯をネットと縫合するとよい。
【００２３】
また、各帯に亘り適用する多数の紐又は狭幅帯を、対応する紐で隣接する接続部に連結し、該紐又は狭幅帯を、接続部として使用してもよい。
【００２４】
ネット片の帯を有する縁部を、互いに重ね合わせた後に、この方法で互いに接続し、その結果被覆帯で、そのまま接続部を形成してもよい。
【００２５】
更なるバージョンとして、少なくとも、互いに接合できる２つの帯２７、２８、３０、３７との１接続部２７'、３７'と共に、解除可能な閉止具、例えば、ファスナを適用し、それにより少なくとも２つの隣接するネット片２１、２２、２３を、互いから分離できるように、又は下部１２を２つに分割できるようにしてもよい。その結果、ネット片をこの１点まで互いに接続してもよく、水中で組立てる場合にだけ、これらネット片の２端部を、このファスナによって互いに固定してもよい。従って、多数のこれらネット片から成るこの側壁を、組立棟で纏めて縫合し、組立場所に巻いた状態で持ち込んでもよい。同様に、下部１２を、水中で１つ又は複数のファスナによって閉止してもよく、これは、籠１０全体をより簡単に組立てるのに役立つであろう。
【００２６】
閉止後、これらの解除可能な閉止具を、有利には、保護カバー、例えばストラップ等で保護し、それにより籠を取出す際に、これらの閉止具を、確実に再び解除でき、同様に簡単で迅速に分解可能とすることができる。
【００２７】
また、言うまでもなく、多数のこれらの解除可能な迅速な閉止具を、ネットに提供でき、それによりネットを異なる子片に細分するようにしてもよい。
【００２８】
スリーブ、特にイガイ類飼育用スリーブは、例えば円形の形状にし、同様に、籠のものと同様なネット片を設け、本発明による帯との接続後に、該ネット片を対応させて互いに接合する。
【００２９】
本発明の枠組中では、このネットは、特に、海水の海、又は淡水の湖若しくは川にいる如何なる種類の軟体動物の飼育にも適している。
【００３０】
使用に関する条件によって、多数の片を、例えば、局所的な補強部としても、互いに少なくとも部分的に重ね合わすことができる。
【００３１】
必要に応じて、これら帯は、防汚用コーティングを備える、又は例えば、銅若しくは銅合金に含浸できる。  
【００３２】
また、本発明により、帯を用いて様々なネット及び網目型を接続することもできる（例えば、プラスチック製ネットや金網）。
【００３３】
同様に、金網接続部を、支持ロープ、接続要素、フロート等でも作製できる。
【００３４】
言うまでもなく、用途に応じて、これらの帯を、ネット片の一部上にだけにも配置できる。
【図１】
2013236629.tif 000003
【図２】
2013236629.tif 000004
【図３】
2013236629.tif 000005
【図４】
2013236629.tif 000006
【図５】
2013236629.tif 000007